(57)【要約】【課題】  設置場所の変更が容易であり、場所に合わせて組み立て形状を容易に変えることのできる猫用遊具とする。【解決手段】  一例としての猫用遊具１Ｃは、床面に載置される支持板２と、複数本の支柱３と、支柱３に支持されて猫が滞在及び飛び移り自在な棚板４と、支柱３に支持されて外周の一部に囲み壁を有するベッド部５とを備えている。支柱３、棚板４、及びベッド部５は相互に連結する連結手段を備えており、棚板４、ベッド部５などの各部材の数を増減して自在形状に組み立てることができる。【選択図】  図４
2012115149.tif 000002
【特許請求の範囲】
【請求項１】
床面に載置される少なくとも一つの支持板と、
複数本の支柱と、
前記支柱に支持され、猫が滞在及び飛び移り自在とされた少なくとも一つの棚板と、
前記支柱に支持され、外周の一部に囲み壁を有する少なくとも一つのベッド部とを備え、
前記支持板、棚板、ベッド部、及び支柱は、それぞれ相互に連結可能な連結手段を備えて、自在形状に組み立て可能であることを特徴とする猫用遊具。
【請求項２】
床面に載置される支持板上に、猫が滞在及び飛び移り自在な棚板と、外周の一部に囲み壁を有するベッド部とが複数本の支柱により支持されてなる猫用遊具であって、
前記支持板、支柱、棚板、及びベッド部は、それぞれ相互に連結可能な連結手段を備えており、
一つの支持板と、一つの棚板と、一つのベッド部と、複数本の支柱とを基本構成として、該基本構成に対し支持板、棚板、ベッド部及び支柱を選択的に追加して自在形状に組み立てられることを特徴とする猫用遊具。
【請求項３】
請求項１又は２に記載の猫用遊具において、
前記支持板上に設けられ、猫が出入り自在な箱形のハウス部を備えることを特徴とする猫用遊具。
【請求項４】
請求項１〜３のいずれか一つの請求項に記載の猫用遊具において、
前記棚板と等しい厚みを有するスペーサ板を備え、
前記支柱同士が連結される場合に、当該支柱間にスペーサ板が介装されることを特徴とする猫用遊具。
【発明の詳細な説明】
【技術分野】
【０００１】
本発明は、猫用遊具に関する。
【背景技術】
【０００２】
ペットの中でも室内で飼われる猫のための遊具として、居室の床面と天井との間に支柱を突っ張るようにして固定し、この支柱に複数の棚板を取り付けたものがあり、猫が支柱を登り降りしたり、棚板に乗ったりして遊ぶことができるように構成されている。しかし、従来の猫用遊具は、猫が支柱に沿って垂直方向に登り降りする、という運動しか行えず、肥満気味の猫にあっては登り降りすることが難しいという問題があった。また、棚板が支柱に固定されており、居室に設置した後は、まったく形状を変えることができないものであった。
【０００３】
これに対し、例えば特許文献１には、複数本の支柱のうちの１本を床面と天井との間で突っ張らせ、支柱同士を棚板で連結し、この棚板が支柱に回動可能に接続されている猫用遊具について開示されている。この猫用遊具によれば、棚板を回動させることで形状を変えたり、棚板を階段状に設けることで猫が斜め方向に登り降りしたりすることが可能とされている。
【先行技術文献】
【特許文献】
【０００４】
【特許文献１】特開２００２−３１５４６５号公報
【発明の概要】
【発明が解決しようとする課題】
【０００５】
しかしながら、前記従来例の猫用遊具では、設置場所を変更するには、支柱を床面と天井との間から取り外し、突っ張った状態を解除して、新たな設置場所に支柱を突っ張らせなければならず、手間のかかるものであった。
【０００６】
また、遊具の形状を変えるといっても、棚板を回動させるにとどまり、形状を大きく変化させることはできないものであった。このため、猫がすぐに遊び飽きてしまうという問題点もあった。
【０００７】
本発明は、このような事情にかんがみてなされたものであり、その目的とするところは、遊具の設置及び設置場所の変更が容易であって、設置場所に合わせて適宜形状を変えて使用することができるとともに、その形状の変更を容易に行うことができて、猫に飽きさせることがなく、豊富な遊び方を可能とする猫用遊具を提供することにある。
【課題を解決するための手段】
【０００８】
前記の目的を達成するため、本発明に係る猫用遊具は、床面に載置される少なくとも一つの支持板と、複数本の支柱と、前記支柱に支持され、猫が滞在及び飛び移り自在とされた少なくとも一つの棚板と、前記支柱に支持され、外周の一部に囲み壁を有する少なくとも一つのベッド部とを備えている。そして、前記支持板、棚板、ベッド部、及び支柱は、それぞれ相互に連結可能な連結手段を備えて、自在形状に組み立て可能であることを特徴としている。
【０００９】
この特定事項により、猫用遊具は、支持板を床面に載置するだけで好みの場所に設置することができ、設置場所の変更も容易に行うことができる。また、支柱や棚板等の各部材が連結手段により相互に連結される構成であるので、好きな形状に組み立てられるだけでなく、組み立てた部材の取り外しも容易に行うことができて、棚板とベッド部との配置形態を変えるなどによって組み立て形状を変更することもできる。
【００１０】
また、前記の目的を達成するため、本発明に係る猫用遊具は、床面に載置される支持板上に、猫が滞在及び飛び移り自在な棚板と、外周の一部に囲み壁を有するベッド部とが複数本の支柱により支持されてなる。そして、前記支持板、支柱、棚板、及びベッド部は、それぞれ相互に連結可能な連結手段を備えており、一つの支持板と、一つの棚板と、一つのベッド部と、複数本の支柱とを基本構成として、該基本構成に対し支持板、棚板、ベッド部及び支柱を選択的に追加して自在形状に組み立てられることを特徴としている。
【００１１】
この特定事項により、組み立てられた猫用遊具は、支持板を床面に載置するだけで好みの場所に設置することができ、設置場所の変更も容易に行うことができる。また、支柱や棚板等の各部材が連結手段により相互に連結される構成であるので、好きな形状に組み立てられるだけでなく、組み立てた部材の取り外しも容易に行うことができる。その上、一つの支持板と、一つの棚板と、一つのベッド部と、複数本の支柱とを備える基本構成に対し、これらの各部材を組み変えたり、各部材の数を増減したりして、組み立て形状を自在に変化させることができる。これにより、猫が遊び飽きないものとすることができる。
【００１２】
前記構成に係る猫用遊具は、さらに、前記支持板に設けられて猫が出入り自在な箱形のハウス部を備えたものであってもよい。かかるハウス部は床面に載置された支持板から猫が容易に出入りすることができる。これにより、猫が自由に遊んだり休息したりする場所を増やすことができ、箱状の場所が好きな猫にとって好適なものとすることができる。
【００１３】
このような本発明に係る猫用遊具の具体的な構成として次のものが挙げられる。
【００１４】
先ず、一つの支持板の上に、一つの棚板と、一つのベッド部とが複数本の支柱に支持された基本構成からなる猫用遊具が挙げられる。また、前記基本構成に対し、ベッド部を加えた構成からなる猫用遊具とすることもできる。さらに、前記基本構成に対し、棚板の数、ベッド部の数、及び支持板の数を選択的に増やした構成からなる猫用遊具とすることも可能である。
【００１５】
このような各構成からなる猫用遊具は、いずれも組み立てられた状態での形状や高さが異なるものとなり、それぞれ豊富なバリエーションの遊び方を提供するものとなる。また、前記基本構成に対し、棚板、ベッド部、支持板等の数を増やして組み立てることで、猫が複数本の支柱や複数の棚板等を登り降りできるようにしたり、棚板と棚板との間を横方向や斜め方向に行き来することができるようにしたり自在形状に構成することができる。これにより、猫は、支柱や棚板等を登ったり降りたりするだけでなく、棚板やベッド部の間を飛び移ったり、飛び降りたりする多様な運動が可能となり、バリエーションの豊富な遊び方をすることができる。また、設置場所の変更や猫の好みなどに応じて適宜、形状を変えて使用することができ、多様な使用形態に対応させることが可能となる。
【００１６】
また、本発明に係る猫用遊具は、さらに、前記棚板と等しい厚みを有するスペーサ板を備えて、前記支柱同士が連結される場合に、当該支柱間にスペーサ板が介装される構成であってもよい。
【００１７】
このような構成により、棚板を挟んで連結される支柱と、支柱に連結された支柱とが、等しい高さレベルで配置され、一種類の支柱を用いて多様な組み立て形態に対応させることが可能となる。
【発明の効果】
【００１８】
本発明に係る猫用遊具では、少なくとも一つの支持板と、少なくとも一つの棚板と、少なくとも一つのベッド部と、複数本の支柱とを備え、これらの支持板、棚板、ベッド部及び支柱を自在に組み立てることができる構成とされている。また、これらの各部材の数を適宜増減して組み立てて形状を変化させられる構成である。このため、猫が遊び飽きないようにすることができ、バリエーションの豊富な遊ばせ方が可能となる。また、かかる猫用遊具は、設置及び設置場所の変更も容易に行うことができる。
【図面の簡単な説明】
【００１９】
【図１】本発明の実施形態１に係る猫用遊具を示す斜視図である。
【図２】本発明の実施形態２に係る猫用遊具を示す斜視図である。
【図３】前記実施形態２に係る猫用遊具の組み立て方法を示す分解斜視図である。
【図４】本発明の実施形態３に係る猫用遊具を示す斜視図である。
【図５】本発明の実施形態４に係る猫用遊具を示す斜視図である。
【図６】本発明の実施形態５に係る猫用遊具を示す斜視図である。
【発明を実施するための形態】
【００２０】
以下、本発明の実施の形態に係る猫用遊具について、図面を参照しつつ説明する。
【００２１】
（実施形態１）
図１は、本発明の実施形態１に係る猫用遊具を示す斜視図である。図１では、複数本の支柱３を用いて、一つの棚板４と一つのベッド部５とが一つの支持板２上に組み立てられた基本構成に係る猫用遊具１Ａを示している。
【００２２】
猫用遊具１Ａにおいて、支持板２は、略四角形状の板材に厚手布地を張って形成されており、床面に載置される。支持板２は、厚手布地が張られていることにより、表面が保護されており、また猫が爪をかけやすいように構成されている。支持板２の下面側には、図示しない滑り止め部材が設けられている。支持板２を構成する板材には、パーティクルボード等の木質材や、合成樹脂製プレート材等を用いることができる。
【００２３】
支柱３は、円柱形状に形成されている。図示される支柱３のうち、支柱３ａは、下地となる円柱体の外周面に麻紐が巻回されており、猫が爪とぎをすることができるように図られている。また、支柱３ｂは、円柱体の外周面に厚手布地が張られている。支柱３（３ａ、３ｂ）は、円柱体を紙管や合成樹脂管で構成することにより軽量に形成することができるが、これらに限らず、木質材からなる円柱体から構成されてもよい。支柱３ａと支柱３ｂとは、どちらも同じ長さ寸法及び外径で形成されている。このため、支柱３ａと支柱３ｂとを相互に入れ替えて使用することが可能であり、例示した配置形態に限らず、好みによって外周面の質感を選択して用いることができる。
【００２４】
棚板４は、魚を模した形状の板材に厚手布地を張って形成されている。棚板４は、猫が滞在したり、飛び移ったりすることが可能な程度の大きさで形成されている。棚板４は、１本又は２本の支柱３に支持される。棚板４は魚形状であるので、上面側に、目、胸びれ、又は魚らしい縞模様等が付されて、見た目に楽しくなるように形成されてもよい。また、棚板４は魚形状に限らず、他の生物や、植物又は食物を象った形状であってもよい。
【００２５】
ベッド部５は、上面視円形状の本体部５１に囲み壁５２が立設されて構成されている。本体部５１は板材に厚手布地を張って形成されている。囲み壁５２は、本体部５１の側部及び背面側の外周部を取り囲むように低い高さで設けられている。また、囲み壁５２は、正面側において開放されており、端部が緩やかなアール形状とされている。囲み壁５２は、紙管や環状に加工した合成樹脂成形品などに厚手布地を張って形成されている。本体部５１には、厚手布地の内側にクッション材が内装されてもよく、猫が快適に休むことができる。なお、ベッド部５は、本体部５１と囲み壁５２とで、色や質感の異なる厚手布地を張り、見た目に楽しくなるように形成されてもよい。
【００２６】
このような基本構成に係る猫用遊具１Ａは、支持板２、支柱３、棚板４、及びベッド部５が、それぞれ相互に連結可能な連結手段を備えている。連結手段としてはどのような構成であってもよいが、その一例として、前記各部材に、図示しないネジ孔が備えられ、ネジ８２により相互に連結される構成が挙げられる。これにより、各部材を突き合わせ、ネジ８２を取り付けることで容易に組み立てることができ、ネジ８２を取り外すことで解体したり、組み立て形状を変化させたりすることができる。
【００２７】
（実施形態２）
次に、実施形態２に係る猫用遊具について説明する。図２は、実施形態２に係る猫用遊具１Ｂの斜視図であり、図３は、実施形態２に係る猫用遊具１Ｂの組み立て方法を示す分解斜視図である。
【００２８】
なお、以下の各実施形態に係る猫用遊具は、前記実施形態１に係る猫用遊具１Ａと共通部材を含む構成からなる。そのため、以下の説明において、前記実施形態１と共通する構成からなる部材については同一の符号を用いて重複する説明を省略する。
【００２９】
図２に示す猫用遊具１Ｂは、一つの支持板２、一つの棚板４、及び一つのベッド部５が支柱３により連結された前記基本構成に対し、さらに箱形のハウス部６を備えている。例示形態では、支持板２の上にハウス部６を設け、ハウス部６の側部に２本の支柱３を立設するとともに、ハウス部６の上にも１本の支柱３を立設し、これらの支柱３に対して棚板４が架け渡されている。また棚板４の上に支柱３を介してベッド部５が設けられ、猫用遊具１Ｂが組み立てられている。
【００３０】
ハウス部６は、猫が出入り自在な開口部６１を備えて箱状に形成されている。例示の形態では、ハウス部６は、支持板２の上に直接設けられ、四角形状の天板６２と、天板６２と支持板２との間を被覆するカバー材６３とを備えている。カバー材６３は、厚手布地からなり、天板６２の４隅に対応する箇所が筒状に縫製されて、支持板２と天板６２とを連結する支持棒６４が内装されている（図３参照）。カバー材６３には、隣り合う各支持棒６４のうちの一組の支持棒６４の間に、円形の開口部６１が形成されている。その他の支持棒６４の間はカバー材６３で被覆されている。ハウス部６は、猫が床面から直接、開口部６１を通って中に入ったり出たりすることができるので、自由に遊んだり休息したりする場となり、また、箱状の場所が好きな猫にとって特に好適なものとすることができる。
【００３１】
ハウス部６において、カバー材６３と支持棒６４とは、ほぼ等しい高さ寸法で形成されている。これらの、カバー材６３及び支持棒６４の高さ寸法は、１本の支柱３の高さ寸法（長さ寸法）と共通するものとされている。また、ハウス部６の天板６２と、棚板４と、ベッド部５の本体部５１とは、共通の厚み寸法により形成されている。なお、カバー材６３の幅及び奥行きに係る寸法は、例示の形態に限られず、支持板２に載置することの可能な大きさであれば、どのような大きさで形成されてもよい。
【００３２】
また、猫用遊具１Ｂにおいて、支柱３同士の連結部位には、スペーサ板７が介装される。スペーサ板７は、前記の棚板４、ハウス部６の天板６２、及びベッド部５の本体部５１と共通の厚み寸法により形成されている。また、スペーサ板７は、支柱３と略同等の外径を有する円盤状に形成されている。かかるスペーサ板７も、表面に厚手布地が張られている。
【００３３】
スペーサ板７は、並んで立設される支柱３の一方に棚板４等の各部材が連結され、他方に支柱３が連結される場合に、支柱３同士の連結部位に介装される。これにより、並んで立設される支柱３は、互いに異なる部材に対して連結されたものであっても、等しい高さレベルに配置される。
【００３４】
図２に示す形態では、支持板２上に、ハウス部６と並んで支柱３が立設されている。この場合に、支柱３同士の連結部位にスペーサ板７が介装される。スペーサ板７とハウス部６の天板６２の厚み寸法は共通であるので、天板６２に立設される支柱３と、スペーサ板７を介して連結される支柱３との高さレベルを揃えることができる。
【００３５】
なお、支持板２、支柱３、棚板４、ベッド部５、ハウス部６、及びスペーサ板７に用いられる厚手布地は、柔軟性があり比較的丈夫な素材であれば、どのようなものであってもよい。例えば、ポリエステル、アクリル、ナイロン等の化学繊維や、木綿、毛、その他の天然動植物繊維からなるボア、モヘア、フランネル、フリース、フェルト、ベルベット、天竺、帆布、イミテーションファー等の起毛繊維材、及びこれらに類する質感の織布、編布、不織布、合成又は天然皮革、さらには繊維風の質感を模した樹脂製シート材等を使用することができる。
【００３６】
このような構成からなる猫用遊具１Ｂは、支持板２、支柱３、棚板４、ベッド部５、ハウス部６、及びスペーサ板７の各部材が相互に連結されて組み立てられている。ここで、実施形態２に係る猫用遊具１Ｂの組み立て方法について、図３を参照しつつ説明する。
【００３７】
図３に示すように、猫用遊具１Ｂは、支持板２、支柱３、棚板４、ベッド部５、ハウス部６、及びスペーサ板７の各部材に、連結手段としてのネジ孔８１が設けられている。そして、各ネジ孔８１にネジ８２を取り付け又は取り外すことで猫用遊具１Ｂを組み立てることができ、また組み立て形状を自在に変化させることが可能とされている。
【００３８】
猫用遊具１Ｂでは、支持板２に、ハウス部６の支持棒６４に対応する４個のネジ孔８１と、支柱３（３ａ）に対応する１個のネジ孔８１とが設けられている。
【００３９】
また、支柱３（３ａ、３ｂ）には、両端面の中心にネジ孔（雌ネジ）８１がそれぞれ設けられている。棚板４には、魚形の頭部寄りと尾部寄りの２箇所にネジ孔８１が設けられている。ベッド部５には、本体部５１の中央にネジ孔８１が設けられている。また、スペーサ板７には、円盤状の中心にネジ孔８１が設けられている。
【００４０】
ハウス部６には、四角形状の天板６２の四隅に、支持棒６４と連結するためのネジ孔８１が設けられている。また、天板６２には、別途、支柱３を立設するためのネジ孔８１も設けられている。支持棒６４には、両端面の中心にそれぞれネジ孔（雌ネジ）８１が設けられている。
【００４１】
なお、支持板２、棚板４、及び天板６２の各部材には、上記の箇所に加えて予備のネジ孔８１が設けられて、多様な組み立て形態に対応させておくことが好ましい。
【００４２】
これらのネジ孔８１には、いずれも、ネジ８２又は両ネジ８４を螺着することができる。ネジ８２は、例えば、頭部に六角穴を備えて、軸部全体に雄ネジが切られた全ネジ（押しネジ）であり、六角レンチを用いて締め付けられる。また、両ネジ８４は、頭部を持たず、全長にわたって雄ネジが切られた全ネジ（埋め込みボルト）である。ネジ８２及び両ネジ８４は、ネジ孔８１に螺着されて各部材同士を連結するものとなる。ネジ８２には、適宜、軸部にワッシャー８３が装着される。
【００４３】
猫用遊具１Ｂの組み立ては、先ず、支持板２に支柱３及びハウス部６を取り付けることから行うのが好ましい。支柱３と支持板２とは、支持板２の下面側からワッシャー８３を装着したネジ８２を、支持板２及び支柱３の各ネジ孔８１に螺着して、これらを連結する。また、ハウス部６は、カバー材６３の四隅に設けられた各支持棒６４を、支持板２の上面に設置するとともに、支持板２の下面側から支持板２と各支持棒６４とをネジ止めして連結する。次いで、カバー材６３の上部に天板６２を載置し、天板６２の四隅と各支持棒６４とをネジ止めする。これにより、支持板２とハウス部６とを一体に組み立てることができる。
【００４４】
次いで、ハウス部６の天板６２に支柱３（３ａ）をネジ止めして立設する。また、支持板２に連結した支柱３（３ａ）に、スペーサ板７を介して支柱３（３ｂ）を連結する。このとき、支柱３（３ａ）、スペーサ板７、及び支柱３（３ｂ）には、両ネジ８４を用いて連結する。
【００４５】
次いで、ハウス部６の天板６２上の支柱３（３ａ）と、支持板２上に延びる支柱３（３ｂ）とにまたがるように棚板４を配置し、棚板４と支柱３ａ、３ｂとをネジ止めする。棚板４の上部には、さらにベッド部５が設けられるので、ベッド部５を支持する支柱３（３ｂ）と、天板６２上の支柱３（３ａ）とは、棚板４を介して両ネジ８４により連結する。
【００４６】
次いで、棚板４に立設した支柱３（３ｂ）にベッド部５を載置し、支柱３（３ｂ）とベッド部５とをネジ止めする。これにより、猫用遊具１Ｂが図２に示すような形状に組み立てられる。また、このようにして組み立てられた猫用遊具１Ｂは、ネジ８２及び両ネジ８４を順に取り外すことで、各部材を取り外したり、解体したりすることができる。
【００４７】
このような構成により、猫用遊具１Ｂは、極めて簡単に組み立てることができ、またその形状を自在に変化させることが可能である。なお、前記実施形態１及び以下の各実施形態に係る猫用遊具においても、上記とほぼ同様の手順により組み立てることができる。
【００４８】
（実施形態３）
次に、実施形態３に係る猫用遊具について説明する。図４は、実施形態３に係る猫用遊具１Ｃを示す斜視図である。
【００４９】
猫用遊具は、図１及び図２に示した組み立て形状のほか、飼っている猫の性質や、設置スペース等に応じて、前記基本構成に対し構成部材を選択的に追加して、多様な形状に変形させて組み立てることが可能である。図４に示す例では、図１に示した基本構成に対し、２つの棚板４と、７本の支柱３と、３つのスペーサ板７とを追加して組み立てられている。
【００５０】
この場合、支持板２は、前記実施形態で示したものよりも大きく、ネジ孔８１の個数の多いものが用いられている。猫用遊具１Ｃは、かかる支持板２に、複数本の支柱３を並べて取り付け、棚板４を連結し、最上部にベッド部５を取り付けて構成されている。ベッド部５と支持板２との間に配設された複数本の支柱３には、魚形状の棚板４の尾部側が連結されている。また、これらの棚板４は頭部側が異なる支柱３により支持され、その向きを相互にずらして組み立てられている。
【００５１】
支柱３同士の連結箇所には、スペーサ板７が介装されている。これにより、並んで立設された支柱３の一方に棚板４が連結され、他方に支柱３が連結されても、これらの支柱３同士の高さレベルが揃えられ、上部の棚板４を水平に架設することができる。
【００５２】
かかる猫用遊具１Ｃは、図１及び図２に示す形態に比べ、全体として高さを有し、棚板４の数が増加し、これらの棚板４の向きを相互に異ならせた組み立て形状とされている。これにより、猫は複数本の支柱３を登り降りでき、棚板４と棚板４との間を上下方向や斜め方向に行き来することができるようになり、遊び方のバリエーションを増やすことができる。
【００５３】
（実施形態４）
次に、実施形態４に係る猫用遊具について説明する。図５は、実施形態４に係る猫用遊具１Ｄを示す斜視図である。
【００５４】
実施形態４に係る猫用遊具１Ｄは、図１に示した基本構成に対し、１つの支持板２と、３つの棚板４と、１つのベッド部５と、１０本の支柱３と、３つのスペーサ板７とを追加して組み立てられている。また、この猫用遊具１Ｄは、図１に示した猫用遊具１Ａと、図４に示した猫用遊具１Ｃとを組み合わせて形成することもできる。
【００５５】
具体的に、図５に示す例では、実施形態１に係る猫用遊具１Ａと、実施形態３に係る猫用遊具１Ｃとを隣接して設置し、猫用遊具１Ｃの棚板４の一つを、猫用遊具１Ａの支柱３に連結させて組み立てることができる。この棚板４は、隣接された支持板２、２を連結するものとなり、猫用遊具１Ｄを一体に結合している。
【００５６】
また、図中右側の支持板２上には、図１に示した猫用遊具１Ａの形状とは異なった形状で、各部材が組み立てられている。つまり、ベッド部５を、連結した２本の支柱３ａ、３ａの中間位置に配置している。また、最下段の棚板４に対し、魚形の頭部側に支柱３（３ｂ）を立設している。そして、この支柱３（３ｂ）と、ベッド部５上の支柱３（３ａ）とに対して、一つの棚板４を架け渡している。
【００５７】
このように組み立てることにより、猫用遊具１Ｄでは、猫が複数の支柱３や棚板４等を登ったり降りたりするだけでなく、各棚板４やベッド部５の相互間を飛び移ったり、飛び降りたりする多様な運動が可能となり、バリエーションの豊富な遊び方をすることができる。
【００５８】
また、かかる猫用遊具１Ｄは、図５に示した組み立て形状を、図１及び図３に示した組み立て形状にそれぞれ分離させ、個別に使用することも可能であるので、設置スペースや猫の好み等に応じてこれらを適宜使い分けることもできる。
【００５９】
（実施形態５）
次に、実施形態５に係る猫用遊具について説明する。図６は、実施形態５に係る猫用遊具１Ｅを示す斜視図である。
【００６０】
図６に示す例では、基本構成に係る猫用遊具１Ａに対し、１つの支持板２と、複数本の支柱３と、３つの棚板４と、１つのベッド部５と、さらに１つのハウス部６とを追加して猫用遊具１Ｅが組み立てられている。この場合、実施形態２に係る猫用遊具１Ｂと、実施形態３に係る猫用遊具１Ｃとを隣接して設置し、棚板４の一つを、他方の支持板２上に立設された支柱３に連結して組み立てることができる。
【００６１】
例えば、図２で示した猫用遊具１Ｂの中間位置に配置されている棚板４を、図４に示した猫用遊具１Ｃとの連結に用い、双方の遊具１Ｂ、１Ｃに架け渡すことにより、これらが一体に結合され、猫用遊具１Ｅが組み立てられる。このとき、支柱３や棚板４を、好みの場所に移し変えて、自在形状に組み立てることができる。
【００６２】
このように組み立てることにより、猫用遊具１Ｅでは、より大きな遊具として形成することができ、猫が支柱３や棚板４等を登ったり降りたりするだけでなく、棚板４やベッド部５の相互間を飛び移ったり、飛び降りたりする多様な運動が可能となり、猫の遊び方のバリエーションを増やし、より飽きにくくすることができて、長期的に使用することが可能となる。また、かかる猫用遊具１Ｅも、図６に示す組み立て形状を、図２及び図４に示した組み立て形状にそれぞれ分離させ、個別に使用することも可能であるので、設置スペース等に応じてこれらを適宜使い分けることもできる。
【００６３】
なお、猫用遊具においては、上記各実施形態に係る組み立て形状のほか、さらに棚板４や支柱３等の数を増やしたり、連結に用いる棚板４や支柱３等の配置を異ならせたりすることで、多様な形状に組み立てることが可能であり、上記の各実施形態に限定されるものではない。また、連結手段としては、上記の構成に限定されず、各部材を相互に連結し、適宜連結を解除させるものであればどのようなものであってもよい。さらに、支柱３は、上記実施形態においていずれも共通の長さからなるものを示したが、これに限定されるものではなく、長さの異なる支柱が数種類用意されて、組み立て形状に応じて使い分けられてもよい。
【産業上の利用可能性】
【００６４】
本発明は、室内で飼われる猫のため遊具として好適に利用可能である。
【符号の説明】
【００６５】
１Ａ、１Ｂ、１Ｃ、１Ｄ、１Ｅ    猫用遊具
２    支持板
３、３ａ、３ｂ  支柱
４    棚板
５    ベッド部
５１  本体部
５２  囲み壁
６    ハウス部
６１  開口部
６２  天板
６３  カバー材
６４  支持棒
７    スペーサ板
８１  ネジ孔
８２  ネジ
８３  ワッシャー
８４  両ネジ
【図１】
2012115149.tif 000003
【図２】
2012115149.tif 000004
【図３】
2012115149.tif 000005
【図４】
2012115149.tif 000006
【図５】
2012115149.tif 000007
【図６】
2012115149.tif 000008